(57)【要約】【課題】制御盤に導入されたケーブルに相応の引っ張り力が作用した場合にでも、端子台装置側との接続が外れたり、接続不良を起こすことのない安全な制御盤の導入ケーブル保持装置を提供すること。【解決手段】制御盤の導入ケーブル保持装置２０は、制御盤本体２５内に設けられる端子台装置２７ａと、制御盤本体内下部に設けられるケーブル群保持装置２８とを具備する。ケーブル群保持装置２８は、上記制御盤本体内下部両側壁に相対向して奥行方向に設置される一対のスライドレール３０，３０と、このスライドレール３０，３０に掛け渡されると共に、上記制御盤本体内下部側から導入されるケーブル群２２を保持するスライダ３１を備える。【選択図】  図１
2005318746.tif 000002
【特許請求の範囲】
【請求項１】
制御盤本体内に設けられる端子台装置と、制御盤本体内下部に設けられるケーブル群保持装置とを具備し、
ケーブル群保持装置は、上記制御盤本体内下部両側壁に相対向して奥行方向に設置される一対のスライドレールと、
一対のスライドレールに掛け渡されると共に、上記制御盤本体内下部側から導入されるケーブル群を保持するスライダとを具備したことを特徴とする制御盤の導入ケーブル保持装置。
【請求項２】
上記ケーブル群保持装置は、ケーブル群を上記スライダに緊締バンドにより緊締して保持したことを特徴とする請求項１記載の制御盤の導入ケーブル保持装置。
【請求項３】
上記ケーブル群保持装置は、スライダの両端部に、一対のスライドレールのスリット部に面するスライドレール接合面部を有し、
上記一対のスライドレールの中空部において、上記スライダのスライドレール接合面部に対向配置したネジ用座金を備え、
上記スライダのスライドレール接合面部を、上記ネジ用座金にネジ締め固定することにより、上記スライダを一対のスライドレール側に固定したことを特徴とする請求項１記載の制御盤の導入ケーブル保持装置。
【請求項４】
上記スライダの折曲面部と、上記ネジ用座金とを締付ネジにより締め付け固定し、上記スライドを締付ネジの周囲方向に回動可能に締め付け固定したことを特徴とする請求項３記載の制御盤の導入ケーブル保持装置。
【発明の詳細な説明】
【技術分野】
【０００１】
この発明は、電力の供給制御等の制御を行なう制御盤に係り、特にピット部から導入する各種ケーブルを安全に導入する制御盤の導入ケーブル保持装置に関する。
【背景技術】
【０００２】
従来、この種の制御盤の導入ケーブル保持装置は、導入した各種ケーブルを限られたスペースの範囲で端子台に接続するにあたり、その接続作業性を改善したものがある。この種の端子台は、通常種々のケーブルが多数接続されるため、奥まった場所や狭い場所での作業を回避することが望まれ、ケーブルを端子台に接続するにあたり、その作業性の改善がなされている。
【０００３】
このような、制御盤の導入ケーブル保持装置として、特開平９−１８０７８６号公報（特許文献１参照）に開示されたものがある。
【０００４】
この制御盤の導入ケーブル保持装置によれば、図４および図５に示すように、制御盤の導入ケーブル保持装置１を構成する制御盤本体２，外部ケーブル導入ダクト３，ケーブル配線ダクト４およびこれらの両ダクト３，４を介して導入および導出されるケーブル５および６を接続する端子台装置７を設けた構成である。
【０００５】
外部ケーブル導入ダクト３およびケーブル配線ダクト４は、それぞれ外部側から導入される各ケーブル５および６を導入すると共に、制御盤本体２側のダクト保持金具８により保持固定された構成である。
【０００６】
端子台装置７は、制御盤本体２の上下端に掛け渡すように保持させている一方で、導入された各ケーブル５および６にかかる引っ張り力が掛かった場合にでも、当該引っ張り力に耐え得る程度の強度を保持させている。端子台装置７は、制御盤本体２側に対して移動可能に保持される移動保持具９と、この移動保持具９に保持される端子台１０とから構成される。
【０００７】
移動保持具９は、図５に示すように、長孔１１が形成され、端子台１０の端部がこの長孔１１に対して、締付ネジ１２とナット１３による締め付け手段にて固定されている。従って、端子台１０は、長孔１１の長さの範囲内で所望位置へ移動させて作業を行うことができるので、各盤内ケーブル５および外部ケーブル６の端子台１０側に対する取り付け作業が容易に行なえるようになっている。
【特許文献１】特開平９−１８０７８６号公報（第３頁左欄第４４行〜右欄第３０行および図１〜図４）
【発明の開示】
【発明が解決しようとする課題】
【０００８】
制御盤の導入ケーブル保持装置１の構成によれば、当該制御盤の導入ケーブル保持装置１の外部から導入される各ケーブル５および６が、外部ケーブル導入ダクト３およびケーブル配線ダクト４を介して、直接、端子台１０側に接続された構成になっている。
【０００９】
従って、制御盤の導入ケーブル保持装置１によれば、端子台１０側に対する各ケーブル５および６の取り付け作業を優先するあまり、この各ケーブル５および６を緊張状態で取り付けたりする場合があった。
【００１０】
このように、各ケーブル５および６を緊張状態で取り付けられた場合に、導入された各ケーブル５および６に引っ張り力が作用すると、端子台１０と各ケーブル５および６との接続強度が、上記引っ張り力に抗しきれず、破断または接続不良を起こす虞があった。
【００１１】
本発明は、上記の事情に鑑みてなされたもので、導入されたケーブルに相応の引っ張り力が作用した場合にでも、端子台装置側との接続が外れたり、接続不良を起こすことのない安全な制御盤の導入ケーブル保持装置を提供することを目的とする。
【課題を解決するための手段】
【００１２】
上記目的を達成するために、本発明によれば、制御盤本体内に設けられる端子台装置と、制御盤本体内下部に設けられるケーブル群保持装置とを具備し、ケーブル群保持装置は、上記制御盤本体内下部両側壁に相対向して奥行方向に設置される一対のスライドレールと、一対のスライドレールに掛け渡されると共に、上記制御盤本体内下部側から導入されるケーブル群を保持するスライダとを具備したことを特徴とする制御盤の導入ケーブル保持装置を提供する。
【発明の効果】
【００１３】
本発明によれば、制御盤本体内下部側から導入されるケーブル群を、ケーブル群保持装置により固定したことにより、当該ケーブル群に作用する外力、とりわけ引っ張り力が作用しても、端子台側に接続するケーブルが脱落したり、接触不良を起こすことがないため、制御盤の設置工事や補修を安全に行うことができる制御盤の導入ケーブル保持装置を提供することができる。
【発明を実施するための最良の形態】
【００１４】
本発明に係る制御盤の導入ケーブル保持装置の実施形態について、添付図面を参照して説明する。
【００１５】
図１は、本発明の制御盤の導入ケーブル保持装置２０の実施形態を示す概要図である。
【００１６】
この制御盤の導入ケーブル保持装置２０は、ボックス状をなす複数の制御盤２１ａ〜２１ｎが並列配置され、それぞれの制御盤２１ａ〜２１ｎ側へ外部から導入されるケーブル群２２を通電および通信接続した構成である。
【００１７】
このケーブル群２２は、通常複数の制御盤２１ａ〜２１ｎが設置される床面２３側に設けられるケーブル群導入路を形成するダクト状ピット（以下、ピットという。）２４が設けられ、このピット２４を経由して、それぞれの制御盤本体下部に至るピット端末２４ａ〜２４ｎを介して制御盤２１ａ〜２１ｎ側へ導入されている。
【００１８】
このピット端末２４ａ〜２４ｎは、ケーブル群２２を導入させるために設けた、例えば方形状の開口を備えている。
【００１９】
複数の制御盤２１ａ〜２１ｎの内、例えば制御盤２１ａは、前方を開口する制御盤本体２５と、その制御盤本体２５の開口を開閉自在に設けられる扉２６とより構成される。
【００２０】
制御盤２１ａは、制御盤本体内奥壁面部に機器装置２７が配置され、側壁面下部には、図２に示すように相対向してケーブル群保持装置２８，２８が設けられる。
【００２１】
機器装置２７は、図１に示すように、端子台装置２７ａ，タイマ装置２７ｂおよびリレー装置２７ｃとから構成され、端子台装置２７ａ側から出力する電力および通信・制御信号をタイマ装置２７ｂおよびリレー装置２７ｃ側にて入力するようになっている。
【００２２】
ケーブル群保持装置２８は、図２に示すように、制御盤本体２５の内壁側下部において、相対向して奥行方向に設けられた左右一対のスライドレール３０，３０の内、その一方側を図３に示すように、スライドレール３０に沿ってスライド自在に設けられるスライダ３１とより構成される。
【００２３】
相対向して設けられるスライドレール３０，３０は、制御盤本体２５の下部に位置する方形状のピット端末２４ａの奥行方向の一辺の長さとほぼ同程度の長さを有している。
【００２４】
また、スライドレール３０，３０は、長手方向に中空部３０ａを設けている。更に、このスライドレール３０，３０の中空部３０ａ，３０ａの相対向する側を長手方向に一部を切り欠いてスリット部３０ｂ，３０ｂが形成される。
【００２５】
スライダ３１には、図３に示すように、その両端部にＬ字状の端末部材３２が固定されており、この端末部材３２のスライドレール接合面部３２ａ側には、ネジ通し孔３２ａ１を穿っている。
【００２６】
また、スライドレール３０，３０の中空部３０ａには、ネジ用座金３６が端末部材３２のスライドレール接合面部３２ａと対向配置され、このスライドレール接合面部３２ａのネジ通し孔３２ａ１と同軸上にネジ孔３６ａが位置するように設けられる。
【００２７】
符号４０は、ネジ通し孔３２ａ１を介してネジ孔３６ａに螺入し、固定具として用いる締付ネジで、この締付ネジ４０を締め付けることにより、スライダ３１が端末部材３２およびネジ用座金３６を介してスライドレール３０，３０側へ固定される。
【００２８】
スライドレール３０，３０にスライド自在に保持されるスライダ３１は、図２に示すように、外部から導入される電源ケーブル群４５，通信ケーブル群４６および制御ケーブル群４７を、それぞれ緊締バンド５０にてスライダ３１側へ縛り付けて固定している。
【００２９】
各電源ケーブル群４５，通信ケーブル群４６および制御ケーブル群４７は、図１に示すように、床面２３側に設けたピット２４側からピット端末２４ａを通して制御盤本体２５の底部から導出され、ケーブル群保持装置２８のスライダ３１に固定されるものである。
【００３０】
この各電源ケーブル群４５，通信ケーブル群４６および制御ケーブル群４７は、図２に示すように、それぞれ電源ケーブル４５ａ，通信ケーブル４６ａおよび制御ケーブル４７ａをそれぞれ外皮４５ｂ〜４７ｂにより被覆されたものである。
【００３１】
このケーブル群保持装置２８のスライダ３１に固定される各電源ケーブル群４５，通信ケーブル群４６および制御ケーブル群４７は、図２に示すように、スライダ３１の平坦面部３１ａ側に押し当てるようにして位置決めし、緊締バンド５０にてスライダ３１側へ固定する。
【００３２】
この固定された各電源ケーブル群４５，通信ケーブル群４６および制御ケーブル群４７は、そのそれぞれから導き出される電源ケーブル４５ａ，通信ケーブル４６ａおよび制御ケーブル４７ａを端子台装置２７ａの図示しない端子側へそれぞれ接続されるようになっている。
【００３３】
なお、符号５１は、ピット端末２４ａの開口部を覆う、例えば塩化ビニール製の防湿カバーで、ピット端末２４ａ側から各電源ケーブル群４５，通信ケーブル群４６および制御ケーブル群４７を導き出した際、ピット端末２４ａ側から浸入する外部の湿気を遮断するために設けられる。この防湿カバー５１には、各電源ケーブル群４５，通信ケーブル群４６および制御ケーブル群４７が通る程度の大きさのケーブル通し孔５１ａを予め穿っておくことができる。または、設置工事の際に孔明けすることができる。
【００３４】
次に、制御盤の導入ケーブル保持装置２０の作用について、制御盤２１ａを床面２３に設置し、ケーブル群２２を導入した例を示す図１〜図３を参照して説明する。
【００３５】
先ず、ケーブル群保持装置２８のスライダ３１を、左右一対のスライドレール３０，３０に沿って、図３に示す矢視ａ方向（奥部方向）へ予め移動させる。
【００３６】
制御盤２１ａを床面２３に設置し、ピット２４のピット端末２４ａから導入するケーブル群２２を制御盤本体２５の底部から導き出す。この際に、防湿カバー５１のケーブル通し孔５１ａを通して導き出す。
【００３７】
そして、スライダ３１を、導き出された電源ケーブル群４５，通信ケーブル群４６および制御ケーブル群４７の位置まで、すなわちスライダ３１を矢視ｂ方向へ引き戻す。
【００３８】
この際に、各電源ケーブル群４５，通信ケーブル群４６および制御ケーブル群４７をスライダ３１の平坦面部３１ａ側に押し付けるようにして位置決めし、スライダ３１側へ緊締バンド５０を例えば襷がけにして緊締する。
【００３９】
この緊締の際に、ケーブル群２２の、例えば制御ケーブル群４７の導き出された方向が、垂直方向である場合には、図３に示すようにスライダ３１の平坦面部３１ａをほぼ垂直位置に合わせる。
【００４０】
また、制御ケーブル４７ａがやや傾いている場合には、この傾斜に応じてスライダ３１を図３の矢視ｃ方向へやや傾斜させる。この傾斜状態にて、スライダ３１を端末部材３２を介して一対のスライドレール３０，３０側へ締付ネジ４０にて固定する。
【００４１】
このように、ケーブル群２２の導き出された方向（傾斜）に合わせてスライダ３１を傾斜させることにより、各々のケーブル群４５〜４７の外皮４５ｂ〜４７ｂの表面がスライダ３１の平坦面部３１ａに密着させた状態で保持させることができる。
【００４２】
また、電源ケーブル群４５，通信ケーブル群４６および制御ケーブル群４７の各々がピット２４の引き込み側に対して、若干の引き込み余裕を持って緊締する。この引き込み余裕は、ピット２４側から引っ張り方向の外力が掛かった場合に、スライダ３１側に対して常時引っ張り応力が働く状態を回避するためである。
【００４３】
そして、電源ケーブル群４５，通信ケーブル群４６および制御ケーブル３１のそれぞれから導き出される電源ケーブル４５ａ，通信ケーブル４６ａおよび制御ケーブル４７ａを、図２に示すように、端子台装置２７ａの端子側へ接続する。
【００４４】
以上の作業手順により、制御盤２１ａの設置作業が完了する。
【００４５】
このように、制御盤の導入ケーブル保持装置２０によれば、制御盤底部から導入された各電源ケーブル群４５，通信ケーブル群４６および制御ケーブル群４７を、端子台装置２７ａの近傍に位置するケーブル群保持装置２８により、保持させることができるので、各電源ケーブル群４５，通信ケーブル群４６および制御ケーブル群４７がピット２４側から引っ張り力が作用した場合にでも、ケーブル群保持装置２８側にて緩みが生じない程度に保持される。
【００４６】
従って、端子台装置２７ａに接続される電源ケーブル群４５，通信ケーブル群４６および制御ケーブル群４７の各電源ケーブル４５ａ，通信ケーブル４６ａおよび制御ケーブル４７ａが、上記ピット２４側から引っ張り力が作用した場合にでも、端子台装置２７ａ側から脱落したり、接触不良を起こすことがなくなる。
【００４７】
また、制御盤の導入ケーブル保持装置２０によれば、制御盤本体底部に設けたケーブル群保持装置２８のスライダ３１は、電源ケーブル群４５，通信ケーブル群４６および制御ケーブル群４７の導き出された位置へ容易にスライドさせてこれらの電源ケーブル群４５，通信ケーブル群４６および制御ケーブル群４７の位置決めをすることができるためその作業が極めて容易となる。
【００４８】
また、ケーブル群保持装置２８のスライダ３１は、スライドレール３０，３０側に対して、１本の締付ネジ４０にて固定しているため、この締付ネジ４０を緩めることにより、この締付ネジ４０の周囲方向に自在に回動させることができる。
【００４９】
従って、スライダ３１の平坦面部３１ａの向きを垂直状態から水平状態まで可変させることができるので、ピット端末２４ａ側から導き出されるケーブル群２２の微妙な向きに合わせて対応させることができ、端子台装置２７ａ側へ各ケーブル４５ａ〜４７ａを接続する際の接続作業が極めて容易となる。
【００５０】
なお、本発明の制御盤の導入ケーブル保持装置２０によれば、複数の制御盤２１ａ〜２１ｎを並列配置した構成について説明したが、１つの制御盤、例えば制御盤２１ａのみを設置した構成のものであってもよい。
【００５１】
また、本発明の制御盤の導入ケーブル保持装置２０における制御盤本体の両側壁下部に設けたケーブル群保持装置２８によれば、スライダ３１の両端に取り付けた端末部材３２は、スライダ３１と一体的に形成したものであってもよい。
【００５２】
すなわち、スライダ３１の平坦面部３１ａをやや長尺の素材を用い、この長尺部を折り曲げて端末部を一体的に形成させてもよい。
【図面の簡単な説明】
【００５３】
【図１】本発明の制御盤の導入ケーブル保持装置の概要を示す斜視図。
【図２】図１のＡ矢視方向から見た拡大図。
【図３】図２のＢ部を後方側から見た拡大斜視図で、固定具を外した状態を示す図。
【図４】従来の制御盤の導入ケーブル保持装置の概要を示す制御盤の横断面図。
【図５】図４の端子台の取り付け構造を示す要部拡大図。
【符号の説明】
【００５４】
２０  導入ケーブル保持装置
２１ａ〜２１ｎ  制御盤
２２  ケーブル群
２３  床面
２４  ピット（ダクト状ピット）
２４ａ〜２４ｎ  ピット端末
２５  制御盤本体
２６  扉
２７  機器装置
２７ａ  端子台装置
２７ｂ  タイマ装置
２７ｃ  リレー装置
２８  ケーブル群保持装置
３０  スライドレール
３０ａ  中空部
３０ｂ  スリット部
３１  スライダ
３１ａ  平坦面部
３２  端末部材
３２ａ  スライドレール接合面部
３２ａ１  ネジ通し孔
３６  ネシ用座金
３６ａ  ネジ孔
４０  締付ネジ
４５  電源ケーブル群
４５ａ  電源ケーブル
４５ｂ〜４７ｂ  外皮
４６  通信ケーブル群
４６ａ  通信ケーブル
４７  制御ケーブル群
４７ａ  制御ケーブル
５０  緊締バンド
５１  防湿カバー
５１ａ  ケーブル通し孔
【図１】
2005318746.tif 000003
【図２】
2005318746.tif 000004
【図３】
2005318746.tif 000005
【図４】
2005318746.tif 000006
【図５】
2005318746.tif 000007